(57)【要約】【課題】計量器に対応付けられる固有情報の表示を容易かつ迅速にできるようにする。【解決手段】積算電力計１の積算部１２により測定した指示値関連情報の各項目の計測値および積算電力計１の固有情報の項目をデータ記憶部１３の指示値関連情報記憶エリア１３ａおよび固有情報記憶エリア１３ｂにそれぞれ記憶させる。そして、表示切り替え部１５に専用の磁石を近接させて、積算電力計１の表示モードを指示値関連情報表示モードおよび固有情報を表示させる固有情報表示モードのいずれかに設定する。そして設定された表示モードに対応した、指示値関連情報または固有情報をデータ記憶部１３より読み出して、表示部１４に表示させる。【選択図】    図１
2004280239.tif 000002
【特許請求の範囲】
【請求項１】
物理量を計量する計量器において、
この計量器に対応付けられる固有情報を記憶する固有情報記憶手段と、
この固有情報記憶手段に記憶された固有情報を表示する固有情報表示手段と
を備えたことを特徴とする計量器。
【請求項２】
さらに、前記固有情報記憶手段に記憶された固有情報を外部の装置に送信する旨を要求する送信要求信号を受信する送信要求信号受信手段と、
この送信要求信号受信手段により受信された送信要求信号に従って、前記固有情報記憶手段に記憶された固有情報を前記外部の装置に送信する固有情報送信手段と
を備えたことを特徴とする請求項１記載の計量器。
【請求項３】
さらに、外部の装置により送信された前記固有情報を受信する固有情報受信手段と、
この固有情報受信手段により受信された固有情報を前記固有情報記憶手段に記憶させる制御をする制御手段と
を備えたことを特徴とする請求項１記載の計量器。
【請求項４】
物理量を計量する計量器と接続するための接続手段と、
この接続手段により接続された前記計量器に対して、当該計量器に対応付けられる固有情報を要求する送信要求信号を送信する送信要求信号送信手段と、
この送信要求信号送信手段により送信された送信要求信号に基づいて、前記計量器により送信された固有情報を受信する固有情報受信手段と、
この固有情報受信手段により受信された固有情報を表示する固有情報表示手段とを備えたことを特徴とする端末装置。
【請求項５】
物理量を計量する計量器と接続するための接続手段と、
この接続手段により接続された前記計量器に対する固有情報を入力する固有情報入力手段と、
この固有情報入力手段により入力された固有情報を前記計量器に送信する固有情報送信手段と、
この固有情報送信手段により送信された固有情報を前記計量器に記憶させる旨を要求する記憶要求信号を前記計量器に送信する記憶要求信号送信手段を備えたことを特徴とする端末装置。
【請求項６】
物理量を計量する計量器およびこの計量器と接続される端末装置で構成される計量システムにおいて、
前記計量器は、
この計量器に対応付けられる固有情報を記憶する固有情報記憶手段と、
前記固有情報記憶手段に記憶された固有情報を前記端末装置に送信する旨を要求する送信要求信号を受信する送信要求信号受信手段と、
この送信要求信号受信手段により受信された送信要求信号に基づいて、前記固有情報記憶手段に記憶された固有情報を前記端末装置に送信する固有情報送信手段とを備え、
前記端末装置は、
前記計量器に前記送信要求信号を送信する送信要求信号送信手段と、
この送信要求信号送信手段により送信された送信要求信号に基づいて、前記計量器に備えられる固有情報送信手段により送信された固有情報を受信する固有情報受信手段と、
この固有情報受信手段により受信された固有情報を表示する固有情報表示手段とを備えたことを特徴とする計量システム。
【請求項７】
物理量を計量する計量器およびこの計量器と接続される端末装置で構成される計量システムにおいて、
前記計量器は、
この計量器に対応付けられる固有情報を記憶する固有情報記憶手段と、
前記端末装置により送信された前記固有情報を受信する固有情報受信手段と、
前記固有情報受信手段により受信された固有情報を前記固有情報記憶手段に記憶させる旨を要求する記憶要求信号を受信する記憶要求信号受信手段と、
この記憶要求信号受信手段により受信された記憶要求信号に従って、前記固有情報受信手段により受信された固有情報を前記固有情報記憶手段に記憶させる制御をする制御手段とを備え、
前記端末装置は、
前記固有情報を入力する固有情報入力手段と、
この固有情報入力手段により入力された固有情報を前記計量器に送信する固有情報送信手段と、
前記計量器に前記記憶要求信号を送信する記憶要求信号送信手段とを備えたことを特徴とする計量システム。
【発明の詳細な説明】
【０００１】
【発明の属する技術分野】
本発明は、例えば、電力、ガスおよび水道分野において利用される計量器、端末装置および計量システムに関する。
【０００２】
【従来の技術】
計量器、例えば、電力分野において用いられる積算電力計は、この積算電力値の指示値に関連する情報（以下、指示値関連情報と称する）、つまり、積算電力計により計量する対象である積算電力値、デマンド値および時間帯別積算電力値などを計量して、これら計量した指示値関連情報をメータの指針などにより表示する機能を有している。
【０００３】
【発明が解決しようとする課題】
積算電力計に関する情報は、この指示値関連情報のみに限らずに、積算電力計に固有に対応付けられる情報（以下、固有情報と称する）、例えば、計器番号、製造年月日、定期検針日時およびメータ等級などを管理者側で管理している。
【０００４】
計量器のメンテナンスなどの際には、現地の計量器に対応付けられる固有情報を確認するために、計量器の管理者が所有する書類、つまり計量器に対応付けられる計器番号とその他の固有情報を記載した参照用書類を用いる。つまり、管理者がこの参照用書類を現地に持参し、固有情報の参照対象の計量器に刻印表示される計器番号と、持参した参照用書類に記載される計器番号とを照合して、各種固有情報を確認している。
【０００５】
しかし、運用上これらの固有情報を参照用書類により参照するには、多大な手間を要する。また、複数の箇所に設置される計量器の固有情報を同時に参照したい場合には、参照用書類を複数作成して、これらの参照用書類を、複数の管理者にそれぞれ持参させて各計量器が設置される現地に向かわせる必要がある。また、固有情報には積算電力計の修理などにより変更される項目が存在するので、固有情報の特定の項目が変更された場合には、複数作成した参照用書類の記載事項を全て変更しなければならない。
【０００６】
本発明は、上記課題に鑑みなされたもので、固有情報を容易かつ迅速に参照することが可能になる計量器、端末装置および計量システムを提供することを目的とする。
【０００７】
【課題を解決するための手段】
すなわち、本発明に係わる計量器は、物理量を計量する計量器において、この計量器に対応付けられる固有情報を記憶する固有情報記憶手段と、この固有情報記憶手段に記憶された固有情報を表示する固有情報表示手段とを備えたことを特徴とする。
【０００８】
つまり、本発明に係わる計量器では、計量器に対応付けられる固有情報を固有情報記憶手段に記憶して、この固有情報を固有情報表示手段により表示することになるので、計量器に対応付けられた固有情報を容易かつ迅速に参照することができる。
【０００９】
【発明の実施の形態】
以下図面により本発明の実施形態について説明する。
図１は、本発明の実施形態に係わる計量システムの構成を示す図である。本実施形態における計量システムでは、計量器として電力量を計測する積算電力計１を使用するものとして説明する。
【００１０】
図１に示す計量システムでは、積算電力計１に端末装置２が接続されて構成される。積算電力計１は、電力線と接続されて、電力線を流れる電力量を積算値により計測する。端末装置２は、必要に応じて任意に積算電力計１と接続されて、積算電力計１との間で情報を送受信するために使用される。
【００１１】
図２は図１に示した積算電力計１の構成を示すブロック図、図３は、図１に示した積算電力計１と接続される端末装置２の構成を示すブロック図である。
積算電力計１は、図２に示したように、通信インタフェース１６を介して図３に示す端末装置２が接続される。
図２に示した積算電力計１は、計測した積算電力値、デマンド値および時間帯別積算電力値などの指示値に関連する情報（以下、指示値関連情報と称する）を記憶して、この記憶した指示値関連情報を表示する機能、ならびに積算電力計１に固有に対応付けられる計器番号、製造年月日、定時検針日時などの情報（以下、固有情報と称する）を内部に記憶して、この記憶した固有情報を表示する機能を有する。また、これらの指示値関連情報および固有情報を端末装置２との間で送受信する機能をも有する。
なお、積算電力計１が季時別電力量計の場合には、固有情報としてさらに図示しない季時別時間帯情報（季節別の積算対象とする時間帯を示す情報）を含めることができる。
【００１２】
図２に示したように、積算電力計１は、ＣＰＵ１１に、積算部１２、データ記憶部１３、表示部１４、表示切り替え部１５、通信インタフェース１６および計時部１７がそれぞれ接続されて構成されている。
ＣＰＵ１１は、指示値関連情報および固有情報の記憶、表示および送受信に係る制御処理を実行する。つまり、積算部１２により計測された指示値関連情報及び通信インタフェース１６を介して入力される固有情報をデータ記憶部１３に記憶させる処理、データ記憶部１３に記憶された各種情報を読み出して表示部１４に表示させる処理、表示切り替え部１５により出力された制御信号にしたがって表示モードを設定する処理、および指示値関連情報および固有情報を端末装置２との間で送受信する処理を実行する。
【００１３】
積算部１２は、積算電力値、デマンド値および時間帯別積算電力値などの指示値関連情報を計測して、これらの計測値をＣＰＵ１１に出力する。
計時部１７は、現在の時刻を計時して、この計時した時刻の情報をＣＰＵ１１に出力する。
【００１４】
データ記憶部１３は、内部に記憶する情報の書き換えが可能なメモリである。このデータ記憶部１３には、指示値関連情報を記憶する指示値関連情報記憶エリア１３ａおよび固有情報を記憶する固有情報記憶エリア１３ｂが設けられる。  指示値関連情報記憶エリア１３ａには、積算部１２により計測された指示値関連情報が記憶される。指示値関連情報記憶エリア１３ａに記憶された情報は、積算部１２による計測値が変化する、つまり積算部１２により出力された指示値関連情報の各項目の計測値が変化するに従って逐次変更される。
固有情報記憶エリア１３ｂには、積算電力計１の計器番号、製造年月日、定時検針日時、検定期限およびメータ等級（さらには季時別時間帯情報）などの固有情報が記憶される。定時検針日時は、管理者が積算部１２による計測値を記録する特定の日時を示す情報である。また、検定期限とは、積算電力計１の交換期限を示す情報である。
【００１５】
データ記憶部１３の固有情報記憶エリア１３ｂに記憶される固有情報の項目には、積算電力計１の製造時に記憶される情報についての項目と設置後に現地にて変更される情報についての項目とを含む。固有情報のうちで変更される項目の情報については、端末装置２より通信インタフェース１６を通じて受信して、固有情報記憶エリア１３ｂに記憶させる。変更する可能性のある固有情報としては、例えば計器番号、定時検針日時、季時別時間帯情報がある。
【００１６】
表示部１４は、ＣＰＵ１１による表示に係る制御処理のもとで、データ記憶部１３に記憶された指示値関連情報または固有情報の少なくともいずれか一方を表示する。以下の説明では、後述する表示切り替え部１５により切り替えられる表示モードに応じて何れか一方を表示するものとする。
【００１７】
表示切り替え部１５は、表示部１４によって表示させる情報の内容を決定するモード（以下、表示モードと称する）の切り替えを指示する制御信号をＣＰＵ１１に出力する。表示モードは、指示値関連情報を表示させる指示値関連情報表示モードと固有情報を表示させる固有情報表示モードとがある。
表示切り替え部１５には、例えば磁石により切り替えられるリードスイッチが内蔵されている。なお、リードスイッチは、専用の磁石以外では切り替えられない構成を持つものとする。表示切り替え部１５は、管理者が専用の磁石を近接させることによりリードスイッチが切り替えられると、これに応じて表示モードの切り替えを指示する制御信号をＣＰＵ１１に出力する。
例えば、現在の表示モードが指示値関連情報表示モードである場合に表示切り替え部１５に専用の磁石を近接させると、表示モードを固有情報表示モードに切り替える指示を示す制御信号が表示切り替え部１５からＣＰＵ１１に対して出力される。また、現在の表示モードが固有情報表示モードである場合に表示切り替え部１５に専用の磁石を近接させると、表示モードを指示値関連情報表示モードに切り替える指示を示す制御信号が表示切り替え部１５からＣＰＵ１１に対して出力される。
【００１８】
通信インタフェース１６は、端末装置２をケーブルあるいは無線通信により接続するためのもので、ＣＰＵ１１により出力された制御信号ならびに指示値関連情報または固有情報を操作端末２に送信する。また、端末装置２から送信された制御信号を受信してＣＰＵ１１に出力する。
【００１９】
図３に示した端末装置２は、積算電力計１のデータ記憶部１３の固有情報記憶エリア１３ｂに記憶された固有情報の項目のうちで、変更する対象となる項目に対応する固有情報を入力して、この入力した固有情報を積算電力計１に出力する機能、および積算電力計１のデータ記憶部１３の指示値関連情報記憶エリア１３ａに記憶された指示値関連情報または固有情報記憶エリア１３ｂに記憶された固有情報を所得して後述する表示部に画面表示する機能を有している。
【００２０】
図３に示したように、端末装置２は、ＣＰＵ２１に、記憶部２２、入力部２３、通信インタフェース２４および表示部２５がそれぞれ接続されて構成される。また、通信インタフェース２４は、積算電力計１の通信インタフェース１６とケーブルあるいは無線通信により接続される。
【００２１】
ＣＰＵ２１は、記憶部２２に記憶されたプログラム、つまり、入出力機能を実現するプログラム（以下、入出力用プログラムと称する）に基づいて、入力部２３への入力操作に基づいて生成された情報を積算電力計１に出力する。
入出力機能とは、積算電力計１のデータ記憶部１３の指示値関連情報記憶エリア１３ａに記憶された指示値関連情報および固有情報記憶エリア１３ｂに記憶された固有情報を取得するための機能、および変更対象である固有情報を入力してこの入力した固有情報を積算電力計１に出力する機能、および積算電力計１により出力された情報を、通信インタフェース２４を介して取得して、この取得した情報に基づいて表示部２５に表示するための表示用データを生成して、当該表示用データを表示部２５において表示させる機能である。
【００２２】
記憶部２２は、ＣＰＵ２１によって入出力機能を実現するための入出力用プログラムを記憶する。
入力部２３は、各種機能に係わる入力操作を受け付けるもので、この入力操作に従ってＣＰＵ１１によって記憶部２２より入出力用プログラムが読み出されて入出力機能が実現される。ここで、入力部２３は、例えばキーボードなどの操作キーで構成されるものであってもよいし、表示部２５による表示画面に合わせてタッチパネルを搭載して、表示部２５に表示させた操作用画面を指先などによりタッチさせる構成であってもよい。
【００２３】
通信インタフェース２４は、積算電力計１とケーブルあるいは無線通信により接続するためのインタフェースである。端末装置２が積算電力計１に接続された状態で、通信インタフェース２４は、ＣＰＵ２１により出力された制御信号およびデータを積算電力計１に送信し、また積算電力計１から受信した制御信号およびデータをＣＰＵ２１に出力する。
表示部２５は、ＣＰＵ２１による制御機能のもとで、表示用データを表示する。
【００２４】
次に、前記構成による積算電力計１および端末装置２の動作について説明する。
本実施形態における計量システムでは、積算電力計１のデータ記憶部１３に記憶された情報（指示値関連情報、固有情報）を、積算電力計１に対する操作によって積算電力計１に設けられた表示部１４において表示させる第１の形態と、積算電力計１に端末装置２を接続し、端末装置２によって積算電力計１から情報を読み出して、端末装置２の表示部２５において表示させる第２の形態があるものとする。
【００２５】
まず、第１の形態における積算電力計１による指示値関連情報または固有情報の表示に係わる動作について説明する。
ここで、積算電力計１のデータ記憶部１３の固有情報記憶エリア１３ｂには固有情報の各項目のデータが予め記憶されている。
積算部１２では、指示値関連情報の各項目についての計測を常時行っている。そして、積算部１２により計測した計測値のデータをＣＰＵ１１に逐次出力する。
【００２６】
積算部１２により出力された指示値関連情報の各項目の計測値に対応するデータがＣＰＵ１１に入力されると、ＣＰＵ１１は、入力されたデータをデータ記憶部１３の指示値関連情報記憶エリア１３ａに出力して記憶させる。
【００２７】
ここで、現在の表示モードが指示値関連情報表示モードに設定されているときには、ＣＰＵ１１はデータ記憶部１３の指示値関連情報記憶エリア１３ａに記憶された指示値関連情報を読み出して、この読み出した指示値関連情報を表示部１４に出力表示させる処理を実行する。
【００２８】
つまり、積算部１２により指示値関連情報が逐次計測されるのに従って、この計測された指示値関連情報がデータ記憶部１３の指示値関連情報記憶エリア１３ａに逐次出力されて上書き記憶されるとともに、表示部１４によって表示される指示値関連情報が逐次切り替わることになる。
なお、常に指示値関連情報を出力表示するのではなく、外部からの指示に応じて、その時にのみ表示するようにしても良い。
【００２９】
そして、表示モードを指示値関連情報表示モードから固有情報表示モードに切り替える場合には、管理者により専用の磁石を表示切り替え部１５に近接させる。すると、表示切り替え部１５のリードスイッチが作動して、表示モードを固有情報表示モードに切り替える指示を示す制御信号がＣＰＵ１１に対して出力される。するとＣＰＵ１１は、制御信号にしたがって、表示モードを固有情報表示モードに切り替える処理を実行する。
【００３０】
図４は、積算電力計１の表示部１４によって表示される固有情報表示画面Ｇ１の一例を示す図である。
表示モードが固有情報表示モードに切り替わると、ＣＰＵ１１は、データ記憶部１３の固有情報記憶エリア１３ｂに記憶された固有情報の各項目についてのデータを読み出し、固有情報の項目の表示用データを生成する。そして、ＣＰＵ１１は、この生成した表示用データを表示部１４に出力し、表示部１４において表示用データに基づいて固有情報の項目を図４に示すように固有情報表示画面Ｇ１として表示させる。
図４に示す固有情報表示画面Ｇ１の例では、計器番号、製造年月日、定時検針日時、検定期限、メータ等級の各情報が一覧表示されている。
【００３１】
図５は、積算電力計１の表示部１４によって表示される指示値関連情報表示画面Ｇ２の一例を示す図である。
また、前述と同様にして専用の磁石を利用して、表示モードが固有情報表示モードから指示値関連情報表示モードに切り替えられると、ＣＰＵ１１は、積算電力計１のデータ記憶部１３の指示値関連情報記憶エリア１３ａに記憶された指示値関連情報を読み出して、指示値関連情報の表示用データを生成する。そして、ＣＰＵ１１は、この生成した表示用データを表示部１４に出力し、表示部１４において表示用データに基づいて指示値関連情報の各項目の計測値を図５に示すように指示値関連情報表示画面Ｇ２として表示させる。
図５に示す指示値関連情報表示画面Ｇ２の例では、積算電力値、デマンド値、所定時間毎の積算電力値の各情報が一覧表示されている。
【００３２】
したがって、積算電力計１において固有情報表示モードを実行すると、この積算電力計１に対応付けられる固有情報をデータ記憶部１３の固有情報記憶エリア１３ｂから読み出して表示部１４に表示させるので、固有情報を容易かつ迅速に参照することができる。
【００３３】
また、専用の磁石を使用して表示モードを固有情報表示モードに切り替えた上で固有情報を表示させるので、許可された管理者のみの要求に従って表示部１４に表示させることができ、積算電力計１の管理とは関係ない第３者による固有情報の参照を防止することができる。
【００３４】
なお、本実施形態では、管理者が専用の磁石を表示切り替え部１５に近接させて、積算電力計１の表示モードを切り替えて指示値関連情報あるいは固有情報を表示部１４に表示させる構成としたが、専用の磁石を表示切り替え部１５に近接させるたびに表示対象とする情報の各項目を１つずつ切り替えて表示部１４によって表示させる方法としても良い。これにより表示部１４の表示エリアを小さくでき、積算電力計１を小型化することができる。
【００３５】
また、前述した実施形態では、管理者が専用の磁石を表示切り替え部１５に近接させて、固有情報表示モードに切り替える方法としたが、この方法に限らず、例えばＩＤおよびパスワードなどの認証情報の入力を求める図示しない認証情報画面を表示部１４によって表示させて、この認証情報画面に従って管理者が認証情報を入力して固有情報表示モードに切り替える方法としてもよい。
この場合、積算電力計１のデータ記憶部１３には、正当な管理者であることを認証するためのＩＤやパスワードが予め登録されているものとする（例えば、積算電力計１の製造時、あるいは端末装置２を通じて登録されるものとする）。
【００３６】
次に、第２の形態における積算電力計１および端末装置２によるデータ取得処理について説明する。
データ取得処理は、積算電力計１のデータ記憶部１３の指示値関連情報記憶エリア１３ａに記憶された指示値関連情報および固有情報記憶エリア１３ｂに記憶された固有情報を端末装置２に出力させて、この出力された情報を端末装置２の表示部２５に表示させる処理である。
なお、第２の形態では、指示値関連情報および固有情報を端末装置２において表示させるので、積算電力計１を第２の形態においてのみ使用する場合には表示部１４を含む表示に係わる構成を省略することもできる。
【００３７】
図６は、端末装置２の表示部２５によって表示されるモード選択画面Ｇ３の一例を示す図である。
まず、端末装置２を積算電力計１に接続し、端末装置２の入力部２３を所定の手順により操作して、指示値関連情報および固有情報の送受信に係わる例えば図６に示すようなモード選択画面Ｇ３を表示部２５に表示させる。
このモード選択画面Ｇ３では、「データロード」と表記されるアイコン（以下、データロードアイコン３１と称する）および「データセット」と表記されるアイコン（以下、データセットアイコン３２と称する）を表示する。データロードアイコン３１は、データ取得処理の開始をＣＰＵ２１に指示するためのアイコンである。また、データセットアイコン３２は、後述するデータセット処理の開始をＣＰＵ２１に指示するためのアイコンである。
【００３８】
モード選択画面Ｇ３に表示されるデータロードアイコン３１が入力部２３による入力操作により選択され、モード選択画面Ｇ３に表示されるＯＫアイコン３３が選択されると、ＣＰＵ２１はデータ取得処理を開始する。
【００３９】
図７は、端末装置２の表示部２５によって表示されるデータ選択画面Ｇ４の一例を示す図である。
データ取得処理が開始すると、積算電力計１のデータ記憶部１３より読み出すデータの種類を選択するための例えば図７に示すようなデータ選択画面Ｇ４がモード選択画面Ｇ３に代わって表示部２５によって表示される。データ選択画面Ｇ４では、データ記憶部１３の指示値関連情報記憶エリア１３ａに記憶された指示値関連情報および固有情報記憶エリア１３ｂに記憶された固有情報のうち積算電力計１から読み出す情報を選択することができる。
【００４０】
データ選択画面Ｇ４には、「積算値データ」と表記されるアイコン（以下、積算値データアイコン４１と称する）および「計器データ」と表記されるアイコン（以下、計器データアイコン４２と称する）が表示される。積算値データアイコン４１は、積算電力計１から指示値関連情報の読み出しを選択するためのアイコンであり、計器データアイコン４２は、積算電力計１から固有情報の読み出しを選択するためのアイコンである。
【００４１】
ここで、データ記憶部１３に記憶された固有情報を端末装置２の表示部２５に表示させたい場合には、データ選択画面Ｇ４に表示される計器データアイコン４２を入力部２３による入力操作により選択して、データ選択画面Ｇ４に表示されるＯＫアイコン４３を入力部２３による入力操作により選択する。
【００４２】
すると、ＣＰＵ２１は、通信インタフェース２４を介して送信要求信号を積算電力計１に出力する。この送信要求信号は、積算電力計１のデータ記憶部１３の固有情報記憶エリア１３ｂに記憶された固有情報を読み出して、この読み出した固有情報を端末装置２へ出力する旨を積算電力計１のＣＰＵ１１に要求する信号である。
【００４３】
この送信要求信号は積算電力計１において通信インタフェース１６を介して受信されて、ＣＰＵ１１に入力される。すると、ＣＰＵ１１は、データ記憶部１３の固有情報記憶エリア１３ｂに記憶された固有情報を読み出し、通信インタフェース１６を介して端末装置２に送信する。
【００４４】
この送信された固有情報は、端末装置２において通信インタフェース２４を介してＣＰＵ２１に入力される。ＣＰＵ２１は、入力された固有情報を記憶部２２に記憶させると共に、固有情報をもとにして表示用データを生成する。そして、ＣＰＵ２１は、この生成した表示用データを表示部２５において出力させる。表示部２５は、固有情報表示画面Ｇ１（図４参照）をデータ選択画面Ｇ４に代えて表示する。
【００４５】
また、積算電力計１のデータ記憶部１３に記憶された指示値関連情報を端末装置２に出力させたい場合には、データ選択画面Ｇ４を表示部２５に表示させたときに、積算値データアイコン４１を入力部２３による入力操作により選択し、以後は固有情報を読み出す場合と同様の手順で、指示値関連情報を端末装置２の表示部２５に表示させることができる。
【００４６】
したがって、端末装置２の入力部２３による入力操作に従ってデータ取得処理を実行することにより、積算電力計１のデータ記憶部１３の指示値関連情報記憶エリア１３ａに記憶された指示値関連情報または固有情報記憶エリア１３ｂに記憶された固有情報を読み出して端末装置２の記憶部２２に記憶させると共に、固有情報を表示させて参照することができるようになる。
【００４７】
次に、積算電力計１および端末装置２によるデータセット処理について説明する。
データセット処理は、端末装置２によって積算電力計１に記憶された固有情報を変更する処理であって、変更に係り新たに設定したい固有情報を端末装置２により入力し、この入力した固有情報を積算電力計１に出力してデータ記憶部１３の固有情報記憶エリア１３ｂに記憶させる処理である。
【００４８】
まず、端末装置２の入力部２３を所定の手順により操作して、モード選択画面Ｇ３（図６参照）を表示部２５に表示させる。このモード選択画面Ｇ３において、データセットアイコン３２を入力部２３による入力操作により選択すると、ＣＰＵ２１はデータセット処理を開始する。
【００４９】
図８は、端末装置２の表示部２５によって表示されるデータ入力画面Ｇ５の一例を示す図である。
データセット処理が開始されると、モード選択画面Ｇ３に代わって、例えば図８に示すようなデータ入力画面Ｇ５が表示部２５によって表示される。このデータ入力画面Ｇ５は、積算電力計１に対して設定する固有情報の入力を求めるもので、固有情報の各項目の設定値を入力するためのフォーマットが表示される。
【００５０】
このデータ入力画面Ｇ５に設けられたフォーマットに対して、設定したい固有情報の項目を入力部２３による入力操作により選択し、その項目についての設定値を入力する。このデータ入力画面Ｇ５において設定値を入力しなかった項目は積算電力計１に出力されない。したがって、データ入力画面Ｇ５において設定値を何も入力しなかった項目については、データ記憶部１３の固有情報記憶エリア１３ｂにおいて記憶されているデータが保持される。
【００５１】
設定したい全ての固有情報を入力したら、データ入力画面Ｇ５に表示されるＯＫアイコン５１を入力部２３による入力操作により選択する。このＯＫアイコン５１は、データ入力画面Ｇ５で入力した全ての固有情報を積算電力計１に出力する旨をＣＰＵ２１に指示するためのアイコンである。
【００５２】
データ入力画面Ｇ５に表示されるＯＫアイコン５１が入力部２３による入力操作により選択されると、ＣＰＵ２１は、データ入力画面Ｇ５で入力された固有情報の各項目についての設定値および記憶要求信号を、通信インタフェース２４を介して積算電力計１に送信する。記憶要求信号は、積算電力計１に対して、端末装置２の入力部２３により入力された固有情報をデータ記憶部１３の固有情報記憶エリア１３ｂに記憶させる旨を積算電力計１のＣＰＵ１１に要求する信号である。
【００５３】
この送信された固有情報および記憶要求信号は積算電力計１において通信インタフェース１６を介して受信され、ＣＰＵ１１に入力される。すると、ＣＰＵ１１は、入力された記憶要求信号にしたがって、記憶要求信号と共に入力された固有情報（設定値）をデータ記憶部１３の固有情報記憶エリア１３ｂに記憶させる。
【００５４】
したがって、データセット処理を実行することにより、端末装置２の入力部２３により入力した固有情報の各項目についての設定値を積算電力計１に出力して、この出力した固有情報を積算電力計１のデータ記憶部１３の固有情報記憶エリア１３ｂに記憶させることができる。
【００５５】
なお、前述した説明では、積算電力計１と端末装置２とが１対１で接続された計量システムとしているが、端末装置２は、異なる積算電力計１の個々に接続して使用することができる。端末装置２は、それぞれの積算電力計１から指示値関連情報及び固有情報を読み出して表示させると共に、記憶部２２に順次記憶させて収集することができる。
【００５６】
図９は、図１に示す計量システムとは別の実施形態を示す図である。
前述した実施形態の説明では、積算電力計１と端末装置２とを接続して計量システムを構成しているが、これに限らず、積算電力計１に接続した端末装置２を、例えば図９に示すように、公衆回線網、インターネット、専用線などの各種の通信インフラトスラクチャ３０（通信インフラ３０と略記する）を介してセンタ装置３と接続した構成することができる。
【００５７】
この場合、端末装置２には、通信インフラ３０を介してセンタ装置３と通信することができる通信インタフェースが設けられ、積算電力計１から読み出した情報を通信インタフェースを介してセンタ装置３に送信する機能、及びセンタ装置３からの要求に応じて積算電力計１に情報を送信する機能が設けられるものとする。
図９に示す構成とすることで、遠隔地にあるセンタ装置３により積算電力計１との間で端末装置２を介して、前述した端末装置２と同様にしてデータ取得処理およびデータセット処理を実行し、積算電力計１からの情報の読み出しや積算電力計１への情報の記憶を実行する。
センタ装置３は、通信インフラ３０を介して、複数の端末装置２と接続が可能であるので、これらの複数の端末装置２とそれぞれ接続された積算電力計１との間でデータ取得処理およびデータセット処理を実行することができる。
【００５８】
また、積算電力計１は、センタ装置３とのデータ取得処理およびデータセット処理を実行する機能に加え、計時部１７によりＣＰＵ１１に入力される時刻情報に基づいて、例えば予め設定された所定の時刻（後述する発呼時刻）に達した時に、データ記憶部１３の指示値関連情報記憶エリア１３ａに記憶された指示値関連情報および固有情報記憶エリア１３ｂに記憶された固有情報を、端末装置２および通信インフラ３０を介してセンタ装置３に自動的に送信させる機能を有する構成としても良い。
【００５９】
この場合、積算電力計１のデータ記憶部１３の固有情報記憶エリア１３ｂには固有情報として、端末発呼有無情報、発呼先電話番号および発呼時刻がさらに記憶されるものとする。これら固有情報は、例えば積算電力計１の製造時にデータ記憶部１３に記憶される（なお、他の固有情報と同様にして変更されるものであっても良い）。
【００６０】
端末発呼有無情報とは、積算電力計１よりセンタ装置３に対して情報を送信させる端末発呼の有無（“端末発呼あり”または“端末発呼なし”）を示す情報である。発呼先電話番号は、情報の送信先となるセンタ装置３の電話番号である。発呼時刻は、センタ装置３に対して端末発呼を実行する時刻を示す情報である。
【００６１】
図１０は、端末装置２により積算電力計１に対してデータ取得処理を実行した場合の表示部２５によって表示される固有情報表示画面Ｇ１の一例を示す図である。
図１０に示すように、図４に示す固有情報表示画面Ｇ１に加えて、端末発呼有無情報、発呼先電話番号および発呼時刻が表示される。端末発呼有無情報は、例えば図１０に示すような固有情報表示画面Ｇ１において“端末発呼あり”または“端末発呼なし”と表示される。
【００６２】
また、センタ装置３においても、積算電力計１から取得した情報を、前述した固有情報表示画面Ｇ１（図１０参照）、指示値関連情報表示画面Ｇ２（図５参照）と同様にして、積算電力計１のそれぞれについて個別に表示することができる。
【００６３】
なお、例えば積算電力計１の通信インタフェース１６によってセンタ装置３との通信が可能な構成とした積算電力計１ｂ（図９参照）を用いて、端末装置２を省いて直接、積算電力計１ｂを通信インフラ３０を介して接続し、積算電力計１ｂとセンタ装置３との間でデータ取得処理およびデータセット処理を実行することができるようにしても良い。
【００６４】
また、図９に示す端末装置２は、データ取得処理およびデータセット処理を実行するものではなく、積算電力計１を通信インフラ３０を介してセンタ装置３と接続し、情報の送受信を可能とする通信端末として機能するものとしても良い。
【００６５】
また、前述した説明では、積算電力量計１を用いた計量システムを対象にして説明しているが、ガス量を計測するガス量計、あるいは水道量を計測する水道量計などの他の計量器に対しても、前述と同様にして本実施形態を適用することが可能である。
【００６６】
また、本発明は前記実施形態に限定されるものではなく、実施段階ではその要旨を逸脱しない範囲で種々に変形することが可能である。更に、前記実施形態には、種々の段階の発明が含まれており、開示される複数の構成要件における適宣な組み合わせにより種々の発明が抽出され得る。例えば、実施形態で示される全構成要件から幾つかの構成要件が削除されても、「発明が解決しようとする課題」で述べた課題が解決でき、「発明の効果」の欄で述べられている効果が得られる場合には、この構成要件が削除された構成が発明として抽出されうる。
【００６７】
【発明の効果】
以上のように、本発明に係わる計量器によれば、計量器に対応付けられた固有情報を固有情報記憶手段に記憶して、この固有情報を固有情報表示手段により表示するようになるので、計量器に対応付けられた固有情報を容易かつ迅速に参照することが可能になる。
【図面の簡単な説明】
【図１】本発明の実施形態に係わる計量システムの構成を示す図。
【図２】図１に示した積算電力計の構成を示すブロック図。
【図３】図１に示した積算電力計と接続される端末装置の構成を示すブロック図。
【図４】積算電力計の表示部によって表示される固有情報表示画面Ｇ１の一例を示す図。
【図５】積算電力計の表示部によって表示される指示値関連情報表示画面Ｇ２の一例を示す図。
【図６】端末装置の表示部によって表示されるモード選択画面Ｇ３の一例を示す図。
【図７】端末装置の表示部によって表示されるデータ選択画面Ｇ４の一例を示す図。
【図８】端末装置の表示部によって表示されるデータ入力画面Ｇ５の一例を示す図。
【図９】図１に示す計量システムとは別の実施形態を示す図。
【図１０】端末装置により積算電力計に対してデータ取得処理を実行した場合の表示部に表示される固有情報表示画面Ｇ１の一例を示す図。
【符号の説明】
１，１ｂ・・・積算電力計
２・・・端末装置
３・・・センタ装置
１１・・・ＣＰＵ
１２・・・積算部
１３・・・データ記憶部
１３ａ・・・指示値関連情報記憶エリア
１３ｂ・・・固有情報記憶エリア
１４・・・表示部
１５・・・表示切り替え部
１６・・・通信インタフェース
１７・・・計時部
２１・・・ＣＰＵ
２２・・・記憶部
２３・・・入力部
２４・・・通信インタフェース
２５・・・表示部
３０・・・通信インフラトスラクチャ
【図１】
2004280239.tif 000003
【図２】
2004280239.tif 000004
【図３】
2004280239.tif 000005
【図４】
2004280239.tif 000006
【図５】
2004280239.tif 000007
【図６】
2004280239.tif 000008
【図７】
2004280239.tif 000009
【図８】
2004280239.tif 000010
【図９】
2004280239.tif 000011
【図１０】
2004280239.tif 000012